(57)【特許請求の範囲】
【請求項１】
誘電体ブロックの表面から裏面を貫通する孔と、
前記孔の内部及び開口の周りに配置された第１の導体と、
前記誘電体ブロックの外周を囲むように配置され、かつ前記第１の導体と絶縁された第２の導体と
を備えた高周波接続構造体であって、
表面に設置された第１の高周波回路と、前記第１の高周波回路に接続された第１のストリップ線路パターンと、裏面に設けられた第１の接地導体と、表面に設けられた第１の導体パターンと、前記第１の接地導体及び前記第１の導体パターンを接続する第１の接続手段とを有する第１の誘電体基板、及び
表面に設置された第２の高周波回路と、前記第２の高周波回路に接続された第２のストリップ線路パターンと、裏面に設けられた第２の接地導体と、裏面に設けられ前記第２の接地導体と絶縁された第２の導体パターンと、前記第２の導体パターン及び前記第２のストリップ線路パターンを接続する第２の接続手段と、を有する第２の誘電体基板に挟まれた場合には、
前記第１の導体は、前記第１の誘電体基板の第１のストリップ線路パターンと前記第２の誘電体基板の第２の導体パターンを電気的に接続して、前記第１及び第２の誘電体基板に設置された第１及び第２の高周波回路の高周波信号又は制御信号を伝送する信号線として機能し、
前記第２の導体は、前記第１の誘電体基板の第１の導体パターンと前記第２の誘電体基板の第２の接地導体を電気的に接続して、前記第１及び第２の誘電体基板を接地する接地導体として機能し、
前記誘電体ブロックの表面から裏面を貫通する孔が複数の場合には、
前記孔の間の中央に、前記孔の間を結ぶ直線に対して直角方向に一列に設けられ、前記誘電体ブロックの表面から裏面を貫通し内部の導体により前記誘電体ブロックの表面及び裏面に配置された前記第２の導体を電気的に接続して前記孔から発生する電界を接地する複数の第２の孔
をさらに備えたことを特徴とする高周波接続構造体。
【請求項２】
誘電体ブロックの表面から裏面を貫通する孔と、
前記孔の内部及び開口の周りに配置された第１の導体と、
前記誘電体ブロックの外周を囲むように配置され、かつ前記第１の導体と絶縁された第２の導体と
を備えた高周波接続構造体であって、
表面に設置された第１の高周波回路と、前記第１の高周波回路に接続された第１のストリップ線路パターンと、裏面に設けられた第１の接地導体と、表面に設けられた第１の導体パターンと、前記第１の接地導体及び前記第１の導体パターンを接続する第１の接続手段とを有する第１の誘電体基板、及び
表面に設置された第２の高周波回路と、前記第２の高周波回路に接続された第２のストリップ線路パターンと、裏面に設けられた第２の接地導体と、裏面に設けられ前記第２の接地導体と絶縁された第２の導体パターンと、前記第２の導体パターン及び前記第２のストリップ線路パターンを接続する第２の接続手段と、を有する第２の誘電体基板に挟まれた場合には、
前記第１の導体は、前記第１の誘電体基板の第１のストリップ線路パターンと前記第２の誘電体基板の第２の導体パターンを電気的に接続して、前記第１及び第２の誘電体基板に設置された第１及び第２の高周波回路の高周波信号又は制御信号を伝送する信号線として機能し、
前記第２の導体は、前記第１の誘電体基板の第１の導体パターンと前記第２の誘電体基板の第２の接地導体を電気的に接続して、前記第１及び第２の誘電体基板を接地する接地導体として機能し、
前記誘電体ブロックの表面から裏面を貫通する孔が複数の場合には、
前記孔の間に設けられ、前記誘電体ブロックの側面を表面から裏面まで切り欠きその内側に前記第２の導体が配置されて前記孔から発生する電界を接地する溝
をさらに備えたことを特徴とする高周波接続構造体。
【請求項３】
前記誘電体ブロックと前記第１の誘電体基板の間、及び前記誘電体ブロックと前記第２の誘電体基板の間に異方導電性シートを挿入して電気的に接続した
ことを特徴とする請求項１又は２記載の高周波接続構造体。
【発明の詳細な説明】
【０００１】
【発明の属する技術分野】
この発明は、主としてマイクロ波帯及びミリ波帯における高周波接続構造体に関するものであり、特に、誘電体基板を積み重ねて接続する高周波接続構造体に関するものである。
【０００２】
【従来の技術】
従来の高周波接続構造体について図面を参照しながら説明する。図１２は、例えば米国特許第５６７５３０２号公報に示された従来の高周波接続構造体を示す図である。
【０００３】
図１２において、２０’は接続回路、２２は誘電体、２４、２６、２８は孔、４０’は金属シールドである。
【０００４】
また、同図において、３０’、３２’、３４’は圧縮される導体、３０Ａ’、３０Ｂ’、３２Ａ’、３２Ｂ’、３４Ａ’、３４Ｂ’は圧縮される導体３０’、３２’、３４’の先端部である。
【０００５】
また、８０はコプレーナ伝送線路、７２は基板、８２は中心導体、８４Ａ、８４Ｂは接地導体である。
【０００６】
さらに、６０はコプレーナ伝送線路、５２は基板、６２は中心導体、６４Ａ、６４Ｂ、６４Ｃは接地導体、６０Ａはコプレーナ伝送線路６０の先端部である。
【０００７】
誘電体２２を貫通する３つの孔２４、２６、２８を設け、孔の内部を含まない誘電体２２の周りを金属シールド４０’で囲んだ構造に、圧縮される導体３０’、３２’、３４’を差し込むことで接続回路２０’を形成し、基板５２、７２の表面に信号を伝送する中心導体６２、８２と接地導体６４Ａ、６４Ｂ、６４Ｃ、８４Ａ、８４Ｂが配置され、コプレーナ線路６０、８０を形成している。
【０００８】
つぎに、この従来の高周波接続構造体の動作について図面を参照しながら説明する。
【０００９】
接続回路２０’に設置された圧縮される導体３０’、３２’、３４’の先端部３０Ａ’、３０Ｂ’、３２Ａ’、３２Ｂ’、３４Ａ’、３４Ｂ’において、３２Ａ’を中心導体６２に、３２Ｂ’を中心導体８２に、３０Ａ’を接地導体６４Ａに、３４Ａ’を接地導体６４Ｂに、３０Ｂ’を接地導体８４Ａに、３４Ｂ’を接地導体８４Ｂにそれぞれ接触させて加圧することで、基板５２と７２を接続している。この時、接続回路２０’の金属シールド４０’と接地導体６４Ｃも接触する。
【００１０】
従って、中心導体６２に入力した信号は接続回路２０’に配置された圧縮される導体３２’を通じて中心導体８２に出力される。中心導体８２に入力した信号も同様にして中心導体６２に出力される。
【００１１】
図１３は、例えば特開平８−８６１８号公報に示された従来の他の高周波接続構造体を示す図である。
【００１２】
図１３において、１１０は第一高周波回路基板、１１０ｃ、１３０ｃはスルーホール、１１１、１３１はマイクロストリップライン、１１１ａは受信入力部、１１１ｂは出力部、１１１ｃは第一局部信号入力部、１１２は高周波信号受信部、１１３は周波数変換部、１１４、１３５は接地部（グランドパターン）、１１４ａ、１３５ａはグランドパターン、１２６は中空同軸線路、１２１は外部導体、１２１ａは切欠部、１２２は中心導体、１３０は第二高周波回路基板、１３１ａは入力部、１３１ｂは受信出力部、１３１ｃは第二局部信号入力部、１３２は中間周波信号受信部、１３３はビデオ信号変換部、１３４はビデオ信号増幅部、１３６は孔である。
【００１３】
高周波回路基板の表面に高周波信号を伝送するためのマイクロストリップライン１１１、１３１を形成するとともに、裏面に接地部１１４、１３５を形成した第一及び第二高周波回路基板１１０、１３０を多層化した送受信モジュールにおいて、第一及び第二高周波回路基板の各接地部に接続された筒状の外部導体１２１と、この外部導体の中空部内の中心に、外部導体の内壁と所定の間隔をあけた状態で配置され、第一及び第二高周波回路基板の各マイクロストリップラインを接続する棒状の中心導体１２２とからなる中空同軸線路１２６を備えた構成としている。
【００１４】
つぎに、この従来の他の高周波接続構造体の動作について図面を参照しながら説明する。
【００１５】
第一高周波回路基板１１０において、マイクロストリップライン１１１の受信入力部１２１ａから高周波信号が入力されると、高周波信号受信部１１２と周波数変換部１１３を経て出力部１１１ｂへ出力される。
【００１６】
中空同軸線路１２６は、上記第一高周波回路基板１１０と第二高周波回路基板１３０を接続する伝送路である。この中空同軸線路１２６は、円筒状の外部導体１２１と、この外部導体１２１の中空部内の中心に、外部導体１２１の内壁と所定の間隔をあけた状態で配置された円柱状の中心導体１２２からなり、下端を第一高周波回路基板１１０上の出力部１１１ｂに固定して垂直に立設してあるとともに、上端を第二高周波回路基板１３０の入力部１３１ａ付近に形成した孔１３６に挿入した構成としている。
【００１７】
ここで、外部導体１２１の下端は、スルーホール１１０ｃ内のグランドパターン１１４ａを介して第一高周波回路基板１１０の接地部１１４と接続しており、マイクロストリップライン１１１との接触を防止するために、下端側壁の一部に切欠部１２１ａを形成している。また、外部導体１２１の上端は、スルーホール１３０ｃ内のグラントパターン１３５ａを介して第二高周波回路基板１３０の接地部１３５とボンディングラインによって接続している。
【００１８】
一方、中心導体１２２の下端は、第一高周波回路基板１１０の出力部１１１ｂと接続しており、また、上端は、第二高周波回路基板１３０のマイクロストリップライン１３１の入力部１３１ａとボンディングラインによって接続している。このような中空同軸線路１２６は、第一高周波回路基板１１０の出力部１１１ｂから出力された信号を第二高周波回路基板１３０の入力部１３１ａへ伝送する。
【００１９】
第二高周波回路基板１３０では、入力部１３１ａに前記信号が入力されると、中間周波信号受信部１３２、ビデオ信号変換部１３３、ビデオ信号増幅器１３４を経て受信出力部１３１ｂに出力される。
【００２０】
【発明が解決しようとする課題】
上述したような従来の、図１２に示した高周波接続構造体では、基板５２、７２の間の所定の位置に誘電体２２を貫通する３つの孔２４、２６、２８を設け、孔の周りを金属シールド４０’で囲んだ構造に、圧縮される導体３０’、３２’、３４’を差し込み形成した接続回路２０’を基板の間に挟むことで接続しているため、接続回路２０’の孔２４、２６、２８及び圧縮される導体３０’、３２’、３４’を高精度に製作する必要があるという問題点があった。
【００２１】
また、接続回路２０’は、コプレーナ線路６２、８２を接続する構造のため、基板５２、７２に形成された複数の線路同士を接続するには中心導体６２と同じ数の接続回路２０’が必要になり回路の大形化、集積度の低下を招くという問題点があった。
【００２２】
さらに、従来の、図１３に示した高周波接続構造体では、第一高周波回路基板１１０の出力部１１１ｂに中空同軸導体１２６を立て、第二高周波回路基板１３０に孔１３６をあけて、その孔に中空同軸導体１２６を通し第一及び第二高周波回路基板１１０、１３０を積み重ねて接続しているため製作が容易でないという問題点があった。
【００２３】
また、第一及び第二高周波回路基板１１０、１３０を接続するための部品の位置ずれが起こると中空同軸線路１２６とスルーホール１１０ｃ、１３０ｃ、または入力部１３１ａを結ぶボンディングラインの長さが変わり、電気長が変化するため、高周波信号の伝送特性が変化し所望の性能からずれてしまうという問題点があった。
【００２４】
この発明は、前述した問題点を解決するためになされたもので、誘電体基板を積み重ねて接続することを容易にし、誘電体基板に形成された複数の線路同士を安定に接続することができる高周波接続構造体を得ることを目的とする。
【００２６】
【課題を解決するための手段】
この発明の請求項１に係る高周波接続構造体は、誘電体ブロックの表面から裏面を貫通する孔と、前記孔の内部及び開口の周りに配置された第１の導体と、前記誘電体ブロックの外周を囲むように配置され、かつ前記第１の導体と絶縁された第２の導体とを備えた高周波接続構造体であって、表面に設置された第１の高周波回路と、前記第１の高周波回路に接続された第１のストリップ線路パターンと、裏面に設けられた第１の接地導体と、表面に設けられた第１の導体パターンと、前記第１の接地導体及び前記第１の導体パターンを接続する第１の接続手段とを有する第１の誘電体基板、及び表面に設置された第２の高周波回路と、前記第２の高周波回路に接続された第２のストリップ線路パターンと、裏面に設けられた第２の接地導体と、裏面に設けられ前記第２の接地導体と絶縁された第２の導体パターンと、前記第２の導体パターン及び前記第２のストリップ線路パターンを接続する第２の接続手段と、を有する第２の誘電体基板に挟まれた場合には、前記第１の導体は、前記第１の誘電体基板の第１のストリップ線路パターンと前記第２の誘電体基板の第２の導体パターンを電気的に接続して、前記第１及び第２の誘電体基板に設置された第１及び第２の高周波回路の高周波信号又は制御信号を伝送する信号線として機能し、前記第２の導体は、前記第１の誘電体基板の第１の導体パターンと前記第２の誘電体基板の第２の接地導体を電気的に接続して、前記第１及び第２の誘電体基板を接地する接地導体として機能し、前記誘電体ブロックの表面から裏面を貫通する孔が複数の場合には、前記孔の間の中央に、前記孔の間を結ぶ直線に対して直角方向に一列に設けられ、前記誘電体ブロックの表面から裏面を貫通し内部の導体により前記誘電体ブロックの表面及び裏面に配置された前記第２の導体を電気的に接続して前記孔から発生する電界を接地する複数の第２の孔をさらに備えたものである。
【００２７】
この発明の請求項２に係る高周波接続構造体は、誘電体ブロックの表面から裏面を貫通する孔と、前記孔の内部及び開口の周りに配置された第１の導体と、前記誘電体ブロックの外周を囲むように配置され、かつ前記第１の導体と絶縁された第２の導体とを備えた高周波接続構造体であって、表面に設置された第１の高周波回路と、前記第１の高周波回路に接続された第１のストリップ線路パターンと、裏面に設けられた第１の接地導体と、表面に設けられた第１の導体パターンと、前記第１の接地導体及び前記第１の導体パターンを接続する第１の接続手段とを有する第１の誘電体基板、及び表面に設置された第２の高周波回路と、前記第２の高周波回路に接続された第２のストリップ線路パターンと、裏面に設けられた第２の接地導体と、裏面に設けられ前記第２の接地導体と絶縁された第２の導体パターンと、前記第２の導体パターン及び前記第２のストリップ線路パターンを接続する第２の接続手段と、を有する第２の誘電体基板に挟まれた場合には、前記第１の導体は、前記第１の誘電体基板の第１のストリップ線路パターンと前記第２の誘電体基板の第２の導体パターンを電気的に接続して、前記第１及び第２の誘電体基板に設置された第１及び第２の高周波回路の高周波信号又は制御信号を伝送する信号線として機能し、前記第２の導体は、前記第１の誘電体基板の第１の導体パターンと前記第２の誘電体基板の第２の接地導体を電気的に接続して、前記第１及び第２の誘電体基板を接地する接地導体として機能し、前記誘電体ブロックの表面から裏面を貫通する孔が複数の場合には、前記孔の間に設けられ、前記誘電体ブロックの側面を表面から裏面まで切り欠きその内側に前記第２の導体が配置されて前記孔から発生する電界を接地する溝をさらに備えたものである。
【００３０】
この発明の請求項３に係る高周波接続構造体は、前記誘電体ブロックと前記第１の誘電体基板の間、及び前記誘電体ブロックと前記第２の誘電体基板の間に異方導電性シートを挿入して電気的に接続したものである。
【００３１】
【発明の実施の形態】
実施の形態１．
この発明の実施の形態１に係る高周波接続構造体について図面を参照しながら説明する。図１は、この発明の実施の形態１に係る高周波接続構造体を含む高周波モジュールの構成を示す図である。また、図２は、この発明の実施の形態１に係る高周波接続構造体の構成を示す図であり、（ｂ）は（ａ）の横断面図である。なお、各図中、同一符号は同一又は相当部分を示す。
【００３２】
図１において、１ａ、１ｂは誘電体基板、２ａ、２ｂは高周波回路、３ａ、３ｂはストリップ線路パターン、４ａ、４ｂは導体パターン、５ａ、５ｂは接地導体、６ａは導体パターン４ａと接地導体５ａとの間を接続するための接続手段、６ｂはストリップ線路パターン３ｂと導体パターン４ｂとの間を接続するための接続手段、７Ａは高周波接続構造体である。
【００３３】
図２において、８は直方体の形状をもつ誘電体ブロック、９ａは誘電体ブロック８の表面から裏面を貫通する複数個の孔、１０ａは孔９ａの内部と周囲を被覆した金属膜、１０ｂは金属膜１０ａの周りの誘電体ブロック８の表面を被覆した金属膜、１１ａは誘電体ブロック８の表面において金属膜１０ａと１０ｂの間の金属膜を被覆しない部分、１１ｂは誘電体ブロック８の裏面において金属膜１０ａと１０ｂの間の金属膜を被覆しない部分である。
【００３４】
高周波接続構造体７Ａを２つの誘電体基板１ａ、１ｂの間に、ストリップ線路パターン３ａと導体パターン４ｂ及び高周波接続構造体７Ａに設けた金属膜１０ａが接触するように挟み、また導体パターン４ａと接地導体５ｂ及び金属膜１０ｂが接触するように挟み接続する。この時、金属膜を被覆しない部分１１ｂは誘電体ブロック８の裏面から側面にわたり形成するため、ストリップ導体パターン３ａと金属膜１０ｂは接触しない。なお、誘電体基板１ｂの裏面に設けられた導体パターン４ｂは、接地導体５ｂと絶縁されたパッド状のものである。
【００３５】
つぎに、この実施の形態１に係る高周波接続構造体の動作について図面を参照しながら説明する。
【００３６】
誘電体基板１ａ、１ｂに形成されたストリップ線路パターン３ａ、３ｂと導体パターン４ｂは、高周波接続構造体７Ａに設けた金属膜１０ａと電気的に接触しているため、高周波信号または制御信号が高周波接続構造体７Ａを介して誘電体基板１ａ、１ｂに形成された高周波回路２ａ、２ｂの間を伝送する。
【００３７】
この時、接続手段６ａを介して接地導体５ａに接続された導体パターン４ａと接地導体５ｂ及び高周波接続構造体７Ａに設けた金属膜１０ｂは接触しているため、これらは接地導体となる。そのため、高周波接続構造体７Ａに設けた金属膜１０ａを被覆した複数個の孔９ａは、金属膜１０ｂを接地導体とする伝送線路として機能し、高周波信号または制御信号を伝送することができる。
【００３８】
本実施の形態１においては、誘電体ブロック８に孔をあけ、金属膜を被覆するのみで高周波接続構造体７Ａを構成するため、例えば誘電体ブロック８に孔９ａをあけ金属メッキを施しパターンニングする方法や、多層セラミック基板の製造技術などにより容易に製作でき、１つの高周波接続構造体７Ａに複数個の孔９ａを設け複数の高周波信号または制御信号を伝送することができる。
【００３９】
また、誘電体ブロック８は一定の厚さを有するため、誘電体基板１ａ、１ｂを接続する際に所定の位置からわずかにずれても伝送特性に影響を与えず、信号を安定に伝送できる効果がある。
【００４０】
なお、この実施の形態１では、２つの誘電体基板を積み重ねて接続する構成について説明したが、３つ以上の複数の誘電体基板を積み重ねて接続する場合、それぞれの基板の間に高周波接続構造体７Ａを挟み接続する構成としても良い。また、誘電体ブロックに設けた孔の内部は金属で充填したものでも良い。
【００４１】
実施の形態２．
この発明の実施の形態２に係る高周波接続構造体について図面を参照しながら説明する。図３は、この発明の実施の形態２に係る高周波接続構造体を含む高周波モジュールの構成を示す図である。また、図４は、この発明の実施の形態２に係る高周波接続構造体の構成を示す図であり、（ｂ）は（ａ）の横断面図である。
【００４２】
図３及び図４において、高周波接続構造体７Ｂは、金属膜１０ａで被覆した複数個の孔９ａの間に誘電体ブロック８の表面から裏面に貫通する複数個の孔９ｂを設け、孔９ｂの内部に金属膜１０ｃを被覆した構造としている。金属膜１０ｃと金属膜１０ｂは接触している。
【００４３】
高周波接続構造体７Ｂを２つの誘電体基板１ａ、１ｂの間に、ストリップ線路パターン３ａと導体パターン４ｂ及び高周波接続構造体７に設けた金属膜１０ａが接触するように挟み、また、導体パターン４ａと接地導体５ｂ及び金属膜１０ｂが接触するように挟み接続する。
【００４４】
この時、金属膜を被覆しない部分１１ｂは、誘電体ブロック８の裏面から側面にわたり形成するため、ストリップ導体パターン３ａと金属膜１０ｂは接触しない。
【００４５】
つぎに、この実施の形態２に係る高周波接続構造体の動作について図面を参照しながら説明する。
【００４６】
金属膜１０ａが被覆された孔９ａには、高周波回路２ａ、２ｂからストリップ線路パターン３ａ及び導体パターン４ｂを経て高周波信号または制御信号が伝送するため、孔９ａと接地導体をなす金属膜１０ｂの間に電界が存在する。誘電体基板１ａ、１ｂに多数のストリップ線路パターンを配線すると、多数の孔９ａを設けるため隣接した孔９ａの間隔が狭くなる。そのため金属膜１０ａを被覆した孔同士で結合を起こし信号波形が乱れ、高周波回路２ａ、２ｂの動作を不安定にさせる原因になる。
【００４７】
これを防ぐため隣接した孔９ａの間に金属膜１０ｃを被覆した孔９ｂを設けて接地導体とし、高周波信号または制御信号が伝送する金属膜１０ａで被覆した孔９ａから発生する電界を接地させ、金属膜１０ａで被覆した孔９ａ同士の結合を押さえている。
【００４８】
本実施の形態２においては、上記実施の形態１と同様の効果に加え、高周波信号または制御信号が伝送する金属膜１０ａで被覆した複数の孔９ａ同士の結合が押さえられるため、高周波回路２ａ、２ｂに安定した信号を伝送することができ、高密度に孔９ａを設置できる効果がある。
【００４９】
なお、この実施の形態２では、誘電体ブロック８に設けた孔９ｂの内部を金属膜１０ｃで被覆した構成について説明したが、孔９ｂの内部を金属で充填したものでも良い。
【００５０】
実施の形態３．
この発明の実施の形態３に係る高周波接続構造体について図面を参照しながら説明する。図５は、この発明の実施の形態３に係る高周波接続構造体を含む高周波モジュールの構成を示す図である。また、図６は、この発明の実施の形態３に係る高周波接続構造体の構成を示す図であり、（ｂ）は（ａ）の横断面図である。
【００５１】
図５及び図６において、高周波接続構造体７Ｃは、金属膜１０ａで被覆した複数個の孔９ａの間の誘電体ブロック８の側面に孔９ａと平行に溝１２を設け、溝の内部を金属膜１０ｂで被覆した構造としている。
【００５２】
高周波接続構造体７Ｃを２つの誘電体基板１ａ、１ｂの間に、ストリップ線路パターン３ａと導体パターン４ｂ及び高周波接続構造体７に設けた金属膜１０ａが接触するように挟み、また、導体パターン４ａと接地導体５ｂ及び金属膜１０ｂが接触するように挟み接続する。
【００５３】
この時、金属膜を被覆しない部分１１ｂは、誘電体ブロック８の裏面から側面にわたり形成するため、ストリップ導体パターン３ａと金属膜１０ｂは接触しない。
【００５４】
つぎに、この実施の形態３に係る高周波接続構造体の動作について図面を参照しながら説明する。
【００５５】
上記の実施の形態２で説明したように、誘電体基板１ａ、１ｂに多数のストリップ線路パターンを配線すると、多数の孔９ａを設けるため隣接した孔９ａの間隔が狭くなる。そのため金属膜１０ａを被覆した孔９ａ同士で結合を起こし信号波形が乱れ、高周波回路２ａ、２ｂの動作を不安定にさせる原因になる。
【００５６】
これを防ぐために隣接した孔９ａの間の誘電体ブロック８の側面に孔９ａと平行な溝１２を設け、溝１２の内部に金属膜１０ｂを被覆することで高周波信号または制御信号が伝送する金属膜１０ａで被覆した孔９ａから発生する電界を接地させ、金属膜１０ａで被覆した孔９ａ同士の結合を押さえている。
【００５７】
本実施の形態３においては、上記の実施の形態１と同様の効果に加え、高周波信号または制御信号が伝送する金属膜１０ａで被覆した複数の孔９ａ同士の結合が押さえられるため、高周波回路２ａ、２ｂに安定した信号を伝送することができ、高密度に孔９ａを設置できる効果がある。
【００５８】
実施の形態４．
この発明の実施の形態４に係る高周波接続構造体について図面を参照しながら説明する。図７は、この発明の実施の形態４に係る高周波接続構造体を含む高周波モジュールの構成を示す図である。また、図８は、この発明の実施の形態４に係る高周波接続構造体の構成を示す図であり、（ｂ）は（ａ）の横断面図である。
【００５９】
図７及び図８において、誘電体基板１ａの裏面と側面に接地導体５ａを配置している。高周波接続構造体７Ｄは、平面からみて漢字の『日』の字型をしており、誘電体ブロック８の表面から裏面を貫通し高周波回路２ｃ、２ｄが収まる穴を２つ設けてある。これらの穴の内部は金属膜１０ｂで被覆され、これらの穴は、誘電体基板１ａに形成された高周波回路２ｃ、２ｄより大きい。また、高周波接続構造体７Ｄの外周は、誘電体基板１ａと同じ大きさをもつ。
【００６０】
高周波接続構造体７Ｄを２つの誘電体基板１ａ、１ｂの間に、ストリップ線路パターン３ａと導体パターン４ｂ及び高周波接続構造体７Ｄに設けた金属膜１０ａを接触するように挟み、また、導体パターン４ａと接地導体５ｂ及び金属膜１０ｂは接触するように挟み接続する。
【００６１】
この時、金属膜を被覆しない部分１１ｂは、誘電体ブロック８の裏面から側面にわたり形成するため、ストリップ導体パターン３ａと金属膜１０ｂは接触しない。誘電体基板１ａに形成された高周波回路２ｃ、２ｄは、接地導体５ａ、５ｂと金属膜１０ｂに取り囲まれるため遮蔽された構造になる。
【００６２】
本実施の形態４においては、上記実施の形態１〜３と同様の効果に加え、高周波接続構造体７Ｄの誘電体ブロック８の表面から裏面を貫通する穴を設け、内部を金属膜１０ｂで覆うため、誘電体基板１ａに配置された高周波回路２ｃ、２ｄから発生する電磁波を遮蔽し外部からの電磁波を受けないのため、高周波回路２ｃ、２ｄを安定に動作できる効果がある。
【００６３】
なお、この実施の形態４では、誘電体ブロック８の表面から裏面を貫通する穴を２つだけ設けた構造としているが、１つや、３つ以上の複数個の穴を設けた構造としても良い。また、高周波回路２ｃ、２ｄを囲うような構造であれば、漢字の『日』の字型でなくてもよい。
【００６４】
実施の形態５．
この発明の実施の形態５に係る高周波接続構造体について図面を参照しながら説明する。図９は、この発明の実施の形態５に係る高周波接続構造体を含む高周波モジュールの断面構成を示す図である。
【００６５】
図９において、誘電体ブロック８の表面から裏面を貫通する穴を設けた高周波接続構造体７Ｅを誘電体基板１ａの上に、ストリップ線路パターン３ａと高周波接続構造体７Ｅに設けた金属膜１０ａを接触するように配置し、また、導体パターン４ａと金属膜１０ｂを接触するように配置して誘電体基板１ａと一体形成する。なお、高周波接続構造体７Ｅとしては、上記実施の形態４の高周波接続構造体７Ｄの穴に、くぼみ１５を設けたものである。
【００６６】
この時、金属膜を被覆しない部分１１ｂは、誘電体ブロック８の裏面から側面にわたり形成するため、ストリップ導体パターン３ａと金属膜１０ｂは接触しない。誘電体基板１ａに一体形成した高周波接続構造体７Ｅの誘電体ブロック８に設けた穴の内部の誘電体基板１ａに高周波回路２ａを実装し、誘電体ブロック８に設けたくぼみ１５にふた１３を乗せて接続する。ふた１３は、例えば薄い金属や誘電体に金属膜を被覆した構造からなる。
【００６７】
つぎに、この実施の形態５に係る高周波接続構造体の動作について図面を参照しながら説明する。
【００６８】
接続手段６ａを介して接地導体５ａに接続された導体パターン４ａと高周波接続構造体７Ｅに設けた金属膜１０ｂ及びふた１３は接触しているため、これらは接地導体となる。また、誘電体基板１ａに実装された高周波回路２ａは、接地導体５ａ、金属膜１０ｂ及びふた１３に取り囲まれるため遮蔽される。
【００６９】
誘電体基板１ａに形成されたストリップ線路パターン３ａは、高周波接続構造体７Ｅに設けた金属膜１０ａの裏面と接触しているため、高周波信号または制御信号は高周波接続構造体７Ｅを介して誘電体基板１ａに実装された高周波回路２ａに伝送される。
【００７０】
この時、高周波接続構造体７Ｅの表面に形成された金属膜１０ａは、誘電体基板１ａに一体形成した高周波接続構造体７Ｅとふた１３からなる遮蔽された構造の外面に配置される。そのため、高周波接続構造体７Ｅの表面に形成された金属膜１０ａは、高周波回路２ａに高周波信号または制御信号を入出力する電極として機能する。
【００７１】
すなわち、上記誘電体基板１ａに一体形成した高周波接続構造体７Ｅとふた１３からなる遮蔽された構造は、高周波回路２ａのパッケージとしても機能する。
【００７２】
本実施の形態５においては、上記実施の形態４と同様の効果に加え、高周波接続構造体７Ｅが高周波回路２ａをパッケージする側壁として誘電体基板１ａと一体形成できる効果がある。
【００７３】
なお、この実施の形態５では、１つの誘電体基板１ａに高周波接続構造体７Ｅを一体形成してパッケージする構成について説明したが、上記誘電体基板１ａに一体形成した高周波接続構造体７Ｅを複数積み重ねて多層構造とし、多層構造にふた１３を接続する構成としても良い。また，高周波回路を実装する穴の数を２つ以上にしても良い。
【００７４】
実施の形態６．
この発明の実施の形態６に係る高周波接続構造体について図面を参照しながら説明する。図１０は、この発明の実施の形態６に係る高周波接続構造体を含む高周波モジュールの構成を示す図である。また、図１１は、図１０に示した後述する異方導電性シートの機能を説明する断面図である。
【００７５】
図１０において、１４は異方導電性シートである。
【００７６】
図１１において、１ｃ、１ｄは誘電体基板、３ｃ、３ｄはストリップ線路パターンであり、誘電体基板１ｃに形成されたストリップ線路パターン３ｃと誘電体基板１ｄに形成されたストリップ導体３ｄを向かい合わせて配置し、２つの誘電体基板１ｃ、１ｄの間に異方導電性シート１４を挟んだ構造としている。
【００７７】
異方導電性シート１４は、例えばゴムなど弾性を有する絶縁体の中の厚さ方向に金属細線が高密度に埋め込まれたシートや、導電粒子と合成樹脂を混ぜ合わせたシートであり、図１１において、２つの誘電体基板１ｃ、１ｄを加圧することで異方導電性シート１４の厚さ方向のみ導通し、隣接したストリップ線路パターン同士は絶縁される。
【００７８】
図１０において、高周波接続構造体７Ｂの孔を設けた面に異方導電性シート１４を配置し、誘電体基板１ａの表面と誘電体基板１ｂの裏面を向かい合わせて、間にストリップ線路パターン３ａと導体パターン４ｂ及び高周波接続構造体７Ｂに設けた金属膜１０ａが向かい合うように挟み、また、導体パターン４ａと接地導体５ｂ及び金属膜１０ｂが向かい合うように挟み、加圧することで異方導電性シート１４の厚さ方向のみ導通するため、一方の高周波回路から伝送される高周波信号または制御信号をもう一方の高周波回路に伝送することができる。なお、高周波接続構造体７Ｂの代わりに、実施の形態１の高周波接続構造体７Ａや、実施の形態３、４の高周波接続構造体７Ｃ、７Ｄでもよい。
【００７９】
本実施の形態６においては、実施の形態１及び５と同様の効果に加え、異方導電性シート１４を誘電体基板１ａ、１ｂと高周波接続構造体７Ｂの間に挟み加圧することで誘電体基板１ａ、１ｂを接続することができるので、接続のために半田を必要としない効果がある。
【００８１】
【発明の効果】
この発明の請求項１に係る高周波接続構造体は、以上説明したとおり、誘電体ブロックの表面から裏面を貫通する孔と、前記孔の内部及び開口の周りに配置された第１の導体と、前記誘電体ブロックの外周を囲むように配置され、かつ前記第１の導体と絶縁された第２の導体とを備えた高周波接続構造体であって、表面に設置された第１の高周波回路と、前記第１の高周波回路に接続された第１のストリップ線路パターンと、裏面に設けられた第１の接地導体と、表面に設けられた第１の導体パターンと、前記第１の接地導体及び前記第１の導体パターンを接続する第１の接続手段とを有する第１の誘電体基板、及び表面に設置された第２の高周波回路と、前記第２の高周波回路に接続された第２のストリップ線路パターンと、裏面に設けられた第２の接地導体と、裏面に設けられ前記第２の接地導体と絶縁された第２の導体パターンと、前記第２の導体パターン及び前記第２のストリップ線路パターンを接続する第２の接続手段と、を有する第２の誘電体基板に挟まれた場合には、前記第１の導体は、前記第１の誘電体基板の第１のストリップ線路パターンと前記第２の誘電体基板の第２の導体パターンを電気的に接続して、前記第１及び第２の誘電体基板に設置された第１及び第２の高周波回路の高周波信号又は制御信号を伝送する信号線として機能し、前記第２の導体は、前記第１の誘電体基板の第１の導体パターンと前記第２の誘電体基板の第２の接地導体を電気的に接続して、前記第１及び第２の誘電体基板を接地する接地導体として機能し、前記誘電体ブロックの表面から裏面を貫通する孔が複数の場合には、前記孔の間の中央に、前記孔の間を結ぶ直線に対して直角方向に一列に設けられ、前記誘電体ブロックの表面から裏面を貫通し内部の導体により前記誘電体ブロックの表面及び裏面に配置された前記第２の導体を電気的に接続して前記孔から発生する電界を接地する複数の第２の孔をさらに備えたので、孔から発生する電界を防ぐことができるという効果を奏する。
【００８２】
この発明の請求項２に係る高周波接続構造体は、以上説明したとおり、誘電体ブロックの表面から裏面を貫通する孔と、前記孔の内部及び開口の周りに配置された第１の導体と、前記誘電体ブロックの外周を囲むように配置され、かつ前記第１の導体と絶縁された第２の導体とを備えた高周波接続構造体であって、表面に設置された第１の高周波回路と、前記第１の高周波回路に接続された第１のストリップ線路パターンと、裏面に設けられた第１の接地導体と、表面に設けられた第１の導体パターンと、前記第１の接地導体及び前記第１の導体パターンを接続する第１の接続手段とを有する第１の誘電体基板、及び表面に設置された第２の高周波回路と、前記第２の高周波回路に接続された第２のストリップ線路パターンと、裏面に設けられた第２の接地導体と、裏面に設けられ前記第２の接地導体と絶縁された第２の導体パターンと、前記第２の導体パターン及び前記第２のストリップ線路パターンを接続する第２の接続手段と、を有する第２の誘電体基板に挟まれた場合には、前記第１の導体は、前記第１の誘電体基板の第１のストリップ線路パターンと前記第２の誘電体基板の第２の導体パターンを電気的に接続して、前記第１及び第２の誘電体基板に設置された第１及び第２の高周波回路の高周波信号又は制御信号を伝送する信号線として機能し、前記第２の導体は、前記第１の誘電体基板の第１の導体パターンと前記第２の誘電体基板の第２の接地導体を電気的に接続して、前記第１及び第２の誘電体基板を接地する接地導体として機能し、前記誘電体ブロックの表面から裏面を貫通する孔が複数の場合には、前記孔の間に設けられ、前記誘電体ブロックの側面を表面から裏面まで切り欠きその内側に前記第２の導体が配置されて前記孔から発生する電界を接地する溝をさらに備えたので、孔から発生する電界を防ぐことができるという効果を奏する。
【００８５】
この発明の請求項３に係る高周波接続構造体は、以上説明したとおり、前記誘電体ブロックと前記第１の誘電体基板の間、及び前記誘電体ブロックと前記第２の誘電体基板の間に異方導電性シートを挿入して電気的に接続したので、接続のために半田を必要としないという効果がある。
【図面の簡単な説明】
【図１】  この発明の実施の形態１に係る高周波接続構造体を含む高周波モジュールの構成を示す図である。
【図２】  この発明の実施の形態１に係る高周波接続構造体の構成を示す図である。
【図３】  この発明の実施の形態２に係る高周波接続構造体を含む高周波モジュールの構成を示す図である。
【図４】  この発明の実施の形態２に係る高周波接続構造体の構成を示す図である。
【図５】  この発明の実施の形態３に係る高周波接続構造体を含む高周波モジュールの構成を示す図である。
【図６】  この発明の実施の形態３に係る高周波接続構造体の構成を示す図である。
【図７】  この発明の実施の形態４に係る高周波接続構造体を含む高周波モジュールの構成を示す図である。
【図８】  この発明の実施の形態４に係る高周波接続構造体の構成を示す図である。
【図９】  この発明の実施の形態５に係る高周波接続構造体を含む高周波モジュールの断面構成を示す図である。
【図１０】  この発明の実施の形態６に係る高周波接続構造体を含む高周波モジュールの構成を示す図である。
【図１１】  この発明の実施の形態６に係る異方導電性シートの動作を説明するための図である。
【図１２】  従来の高周波接続構造体を含む高周波モジュールの構成を示す図である。
【図１３】  従来の他の高周波接続構造体を含む高周波モジュールの構成を示す図である。
【符号の説明】
１ａ、１ｂ  誘電体基板、２ａ、２ｂ  高周波回路、３ａ、３ｂ  ストリップ線路パターン、４ａ、４ｂ  導体パターン、５ａ、５ｂ  接地導体、６ａ、６ｂ接続手段、７Ａ、７Ｂ、７Ｃ、７Ｄ、７Ｅ  高周波接続構造体、８  誘電体ブロック、９ａ、９ｂ  孔、１０ａ、１０ｂ、１０ｃ  金属膜、１１ａ、１１ｂ  金属膜を被覆しない部分、１２  溝、１３  ふた、１４  異方導電性シート、１５  くぼみ。
【図１】
0003708789.tif 000002
【図２】
0003708789.tif 000003
【図３】
0003708789.tif 000004
【図４】
0003708789.tif 000005
【図５】
0003708789.tif 000006
【図６】
0003708789.tif 000007
【図７】
0003708789.tif 000008
【図８】
0003708789.tif 000009
【図９】
0003708789.tif 000010
【図１０】
0003708789.tif 000011
【図１１】
0003708789.tif 000012
【図１２】
0003708789.tif 000013
【図１３】
0003708789.tif 000014